(57)【特許請求の範囲】
【請求項１】
コンピュータ可読命令を組込んだ非一時的なコンピュータ記憶媒体であって、該コンピュータ可読命令が実行されたとき、
車両の運転者の生体計測マーカを検出することと、
前記生体計測マーカに伴う健康状態データを前記車両のウィンドウ上への投影により通知することと、を備える方法を実行し、
前記生体計測マーカに伴う前記健康状態データは、運行前の、前記運転者が前記車両に乗り込む前に、前記ウィンドウ上に投影される、コンピュータ記憶媒体。
【請求項２】
請求項１に記載の非一時的なコンピュータ記憶媒体であって、前記生体計測マーカは運転者の覚醒度を伴う、コンピュータ記憶媒体。
【請求項３】
請求項１に記載の非一時的なコンピュータ記憶媒体であって、前記生体計測マーカは心拍数を含む、コンピュータ記憶媒体。
【請求項４】
請求項１に記載の非一時的なコンピュータ記憶媒体であって、前記生体計測マーカは体温を含む、コンピュータ記憶媒体。
【請求項５】
請求項１に記載の非一時的なコンピュータ記憶媒体であって、前記生体計測マーカはまぶた閉回数である、コンピュータ記憶媒体。
【請求項６】
請求項１に記載の非一時的なコンピュータ記憶媒体であって、前記検出は運転者の個人用電子デバイスを介して実行される、コンピュータ記憶媒体。
【請求項７】
請求項１に記載の非一時的なコンピュータ記憶媒体であって、前記検出は運転者センサを介して実行される、コンピュータ記憶媒体。
【請求項８】
請求項７に記載の非一時的なコンピュータ記憶媒体であって、前記運転者センサは前記車両内に位置する、コンピュータ記憶媒体。
【請求項９】
請求項７に記載の非一時的なコンピュータ記憶媒体であって、前記運転者センサは前記車両外に位置する、コンピュータ記憶媒体。
【請求項１０】
請求項１に記載の非一時的なコンピュータ記憶媒体であって、前記通知は可聴警報を発生することを含む、コンピュータ記憶媒体。
【請求項１１】
コンピュータ可読命令を組込んだ非一時的なコンピュータ記憶媒体であって、該コンピュータ可読命令が実行されたとき、
車両の運転者の生体計測マーカを検出することと、
前記生体計測マーカに伴う健康状態データを前記車両のウィンドウ上に投影することと、を備える方法を実行し、
前記生体計測マーカに伴う前記健康状態データは、運行後の、前記運転者が前記車両から退出した後に、前記ウィンドウ上に投影される、コンピュータ記憶媒体。
【発明の詳細な説明】
【技術分野】
【０００１】
本発明は車両に関し、さらに特定すると、車両用生体計測モニタシステムに関する。
【背景技術】
【０００２】
幾つかの車両においては、搭乗者に車両内の緊急ボタンを押下させることによって手動で緊急コールを開始させるシステム、又は衝突の際にエアバッグを展開することによって自動で緊急コールを開始させるシステムがある。緊急コールは車両の地理的位置を示し、また、車室内と人間である遠隔アドバイザとの間に音声による通信を確立する。アドバイザが搭乗者の応答又は無応答により緊急配慮が必要であると決定すれば、アドバイザは緊急対応要員を急いで派遣することができる。このようなシステムは、従って、アドバイザとの相互会話及び信頼を必要とし、そのアドバイザは非効率で且つより効率的でないこともあり得る。
【０００３】
他の車両においては、車両内モニタシステムがある。乗員の認識に基づいて、車両は車両の形状を運転者及び／又は搭乗者の所定の好みに合致させることができる。このようなシステムは、予め決定された好みに合致させるために予めプログラムすべきシステムを必要とする。
【発明の概要】
【０００４】
ここに記載された生体計測マーカシステムは、車両の運転者に運転者の健康状態を知らせる。生体計測マーカシステムは、運転者が眠いか又はアレルギー反応もしくは心臓問題で障害を起こしているかを識別するために、運転者の一つ又は複数の生体計測マーカをモニタ及び／又は解析する。また、生体計測マーカシステムは、運転者が車両を退出した後に、車両内の他の搭乗者の一つ又は複数の生体計測マーカをモニタ及び／又は解析することもできる。
【０００５】
コンピュータ可読命令を組込んだコンピュータ記憶媒体であって、コンピュータ可読命令が実行されたとき、一つの方法を実行する。開示された非限定的な実施例に係るこの方法は、運転者の生体計測マーカを検出すること、および、生体計測マーカに関連するデータを車両のサイドウィンドウに表示することを含む。
【０００６】
コンピュータ可読命令を組込んだコンピュータ記憶媒体であって、コンピュータ可読命令が実行されたとき、一つの方法を実行する。開示された非限定的な一つの実施例に係るこの方法は、車両内の生体計測マーカを検出すること、および、生体計測マーカに関連するデータを送信して車両外の個人用電子デバイスに表示することを含む。
【０００７】
コンピュータ可読命令を組込んだコンピュータ記憶媒体であって、コンピュータ可読命令が実行されたとき、一つの方法を実行する。開示された非限定的な一つの実施例に係るこの方法は、運転者が車両外に退出したことを検出することと、運転者が車両外に退出したことを検出した後に車両内の生体計測マーカを検出することと、生体計測マーカに関連するデータを個人用電子デバイス上に表示することを含む。
【０００８】
上述の特徴及び要素は、他に明確に指示されていなければ、排他的でなく種々の組み合わせで結合することができる。これらの特徴及び要素は、これらの動作と共に、以下の記載及び添付の図面に鑑みてより明らかとなる。しかしながら、以下の記載及び添付図面は本質的に例示を意図し、限定するものでないことを理解すべきである。
【０００９】
種々の特徴は、以下に開示された非限定的な実施例の詳細な説明から、当業者にとって明白となるであろう。
【図面の簡単な説明】
【００１０】
【図１】生体計測マーカシステムを用いた車両の一例の概略図である。
【図２】生体計測マーカシステムを用いた車両の一例の側面図である。
【図３】開示された非限定的な一実施例に係る生体計測マーカシステムの動作を示すフローチャートである。
【図４】開示された非限定的な他の実施例に係る生体計測マーカシステムの動作を示すフローチャートである。
【発明を実施するための形態】
【００１１】
生体計測マーカシステムと、車両内の生体計測マーカを検出し、識別し、モニタし、及び／又は解析する方法と、これに伴うコンピュータ可読プログラムコードが組込まれた一つもしくは複数のコンピュータ可読媒体に組込まれたコンピュータプログラム製品とが開示されている。生体計測マーカシステムは、車両の運転者に車両内での運転者の健康状態を知らせることができる。このような報知は、インフォテイメント（ｉｎｆｏｔａｉｎｍｅｎｔ）目的用フォーマットで、運転者の健康をモニタするフォーマットで、及び／又は生体計測マーカが実質的に変化し又は所定パラメータ外になったときに、警報として提供することができる。生体計測マーカシステムは、少なくとも部分的に、運転者を運転体験に興味を持たせ及び／又は集中させ、及び／又は運転者にその健康状態を知らせる。また、生体計測マーカシステムは健康状態を車両の窓たとえばサイドウィンドウに投影することができ、この結果、運転者に健康状態を迅速に提供できる。このような健康情報の投影は運行前及び運行後に行うことができる。また、ある構成においては、運転者が車両を退出した後に、生体計測マーカシステムは車両内の他の搭乗者の一つもしくは複数の生体計測マーカを検出し、識別し、モニタし、及び／又は解析することができる。生体計測マーカの解析に応答して種々のレベル及び／又はシーケンスの警報を、運転者の個人用電子デバイスに通知できる。一つ又は複数の生体計測マーカが実質的に変化し又は所定パラメータの範囲外（たとえば搭乗者に危険な程の高体温）になったとき、及び運転者が応答しないとき、生体計測マーカシステムは緊急対応要員又は他の個人あるいはエンティティとの通信を実効化することができる。
【００１２】
図１は生体計測マーカシステム２２を有する車両２０を概略的に示す。図１は自動車としての車両２０を示すが、実施例は自動車に限定されないことが理解される。ある実施においては、車両は、船舶、飛行機、又は他の機械的輸送形式でもよい。生体計測マーカシステム２２は、一般に、センサシステム２４、制御システム２６、及び通信システム２８を含む。特定のシステムは別に定義されるが、それぞれ又は何れかのシステム又はその一部分は、生体計測マーカシステム２２内のハードウエア及び／又はソフトウエアを介して結合又は分離することができる。
【００１３】
システム２４、２６、２８は適当な方法、たとえば一つ又は複数のネットワークを介して、通信によってリンクさせることができる。ここで用いられているように、「通信的なリンク（ｃｏｍｍｕｎｉｃａｔｉｖｅｌｙ  ｌｉｎｋｅｄ）」は、通信チャンネルあるいは経路又は別のコンポーネントあるいはシステムを介した、直接又は間接の接続を含むことができる。「通信ネットワーク」は、一つのソースから他のソースへ情報を転送できるように設計された一つ又は複数のコンポーネントを意味する。
【００１４】
一つ又は複数の通信ネットワークは無線及び／又は有線媒体を介して通信するように構成できる。この一つ又は複数の通信ネットワークは、広域ネットワーク（ＷＡＮ）、無線広域ネットワーク（ＷＷＡＮ）、ローカルエリアネットワーク（ＬＡＮ）、パーソナルエリアネットワーク（ＰＡＮ）（たとえば、ＩＲＤＡ、無線ＵＳＢ、ＺｉｐＢｅｅネットワーク、ボディエリアネットワーク又は近距離場通信ネットワーク）、無線ローカルエリアネットワーク（ＷＬＡＮ）、インターネット、公衆加入電話網（ＰＳＴＮ）、無線ネットワーク、モバイルネットワーク、仮想私設網（ＶＰＮ）、インターネット、及び／又は複数のイントラネットとして実施され、又は非限定的に含むことができる。この通信ネットワークは上述のネットワーク及び／又は他のネットワークのいかなる組合せを含むことができる。この通信ネットワークは、一つ又は複数のルータ、スイッチ、アクセスポイント、無線アクセスポイント等を含むことができる。
【００１５】
センサシステム２４は車両２０内の状況を検出及び／又は識別するように動作する種々のセンサを含むことができる。非限定的な一つの実施例において、センサシステム２４は一つ又は複数の生体計測センサ３０を含むことができ、このセンサ３０はまた運転者センサ３２を含むことができる。この一つ又は複数の生体計測センサ３０は、生物体（たとえば、運転者、搭乗者、子供又はペット）の一つ又は複数の生体計測マーカを検出及び／又は識別するように、動作可能に位置させることができる。
【００１６】
「生体計測マーカ」は、生物体の状態又は状況を指示及び／又は示唆する生理学的特性、行動科学的特性、生物学的特性又は他の特性に関するデータである。生体計測マーカつまり生物体の「生体マーカ」を測定して評価し、生体計測プロセス、病原的プロセス（ｐａｔｈｏｇｅｎｉｃ  ｐｒｏｃｅｓｓ）又はその他の応答を観測できる。生体計測マーカの事例は、心拍数、皮膚温度、目の運動、突発的体動、呼吸、発汗、会話又は音声パターン、及び／又は他の生体計測マーカを含むが、これらに限定されない。生体計測マーカは生体計測システム２２によって解析及び／又は処理され、たとえば、搭乗者の状態又は状況を決定できる。たとえば生体計測マーカは、生体計測システム２２によって解析及び／又は処理され、運転者が眠いか、アレルギー反応又は心臓トラブルで障害が起きたか、を決定できる。
【００１７】
制御システム２６は、一般に、プロセッサ４２、メモリ４４及びインターフェイス４６を有する制御モジュール４０を含む。制御モジュール４０は、中央車両コントロールの一部、自立型ユニット、クラウドベースシステム又は他のシステムの一部であり得る。プロセッサ４２は、ここで記載されたいかなるプロセスをも実行できるように構成された、コンポーネント又はコンポーネントグループであり得る。プロセッサ４２は、所望の性能特性を有する一つ又は複数の汎用及び／又は専用のプロセッサによって実現される。プロセッサ４２の適切な例はマイクロプロセッサ、マイクロコントローラ、ＤＳＰプロセッサ、及びソフトウエアを実行できる他の回路を含む。
【００１８】
メモリ４４は以下に記載するデータ及び制御アルゴリズム４８を記憶するいかなるコンピュータ可読媒体を含むことができる。また、プロセッサ４２の他のオペレーションソフトウェアはメモリ４４に記憶され得る。メモリ４４は揮発性及び／又は不揮発性メモリを含むことができる。適切なメモリ４４の例は、ＲＡＭ（ランダムアクセスメモリ）、フラッシュメモリ、ＲＯＭ（リードオンメモリ）、ＰＲＯＭ（プログラマブルリードオンメモリ）、ＥＰＲＯＭ（消去可能プログラマブルリードオンメモリ）、ＥＥＰＲＯＭ（電気的消去可能プログラマブルリードオンメモリ）、レジスタ、磁気ディスク、光ディスク、ハードドライブ、あるいは他の適当な記憶媒体、又はこれらの組合せを含むことができる。メモリ４４は、プロセッサ４２によって使用されるためにプロセッサ４２に動作的に接続できる。用語「動作的に接続（ｏｐｅｒａｔｉｖｅｌｙ  ｃｏｎｎｅｃｔｅｄ）」は直接の物理的接触がない接続を含む、直接又は間接的な接続を含むことができる。
【００１９】
インターフェイス４６は、センサシステム２４、通信システム２８及び他の車両システム間の通信を容易にすることができ、たとえば、インターフェイス５２（たとえば、車両−人間間マシンインターフェイス）におけるディスプレイ５０を含む。ディスプレイ５０は、その代わりに又は付加的に、プロジェクタ５４及びコーティング５６又は車両ウィンドウ５８上の他の処理を含み、ディスプレイ５０上に表示された情報が車両２０（図２）の外側及び／又は車両２０の内側から視認できるようにすることができる。ウィンドウ５８はここでは、ミニバン型車両の運転者側の後部搭乗者（ｐａｓｓｅｎｇｅｒ）ウィンドウとして示されているが、もちろん構成はこれらの例に限定されるものでなく、種々の車両型及びウィンドウもまたこれらの恩恵を受けると認められるべきである。
【００２０】
さらに、通信システム２８は、オフボードシステム６２と通信できる無線通信システム６０を含む。オフボード６２は、たとえば、同様に他のネットワークコンポーネントとの通信を確立できる、遠隔通信ユニット又は局を含むことができる。このネットワークコンポーネントは、たとえば緊急対応要員６６又は他の連絡先６８である、車両２０の外部の個人、デバイス、コンポーネント、及び／又はエンティティとの通信を提供する。緊急対応要員６６は、たとえば、警察、救急車、９１１公共安全アクセスポイント等を含むことができる。連絡先６８は、たとえば、ユーザによって生体計測マーカシステム２２内に予めプログラムされたエンティティ及び／又はこれらと通信できる個人用電子デバイス７０を含むことができる。
【００２１】
個人用電子デバイス７０は、携帯式コンピュータ（たとえばラップトップ、タブレット等）、モバイルフォン、スマートフォン、スマートウォッチ、スマートアイグラス、無線可能な個人用ディジタルアシスタント、又は運転者によって運搬又は身に付けられる他のこのようなデバイスを含むが、これらに限定されることはない。さらに、個人用電子デバイス７０は、生体計測マーカに関係するデータを処理するように動作でき、このデータを通信システム２８を介して制御システム２６に通信する。生体計測マーカシステム２２は、適当な方法たとえば種々の無線データ通信プロトコル及び／又はデータ交換する無線技術標準を含む一つ又は複数の通信ネットワークを介して、個人用電子デバイス７０に通信的にリンクすることができる。
【００２２】
図３を参照すると、開示された非限定的な一実施例において、生体計測マーカシステム２２の動作のためのアルゴリズム４８Ａが概略的に示されている。アルゴリズム４８Ａの機能は機能的ブロック図によって示されており、これらの機能は、専用ハードウエア回路又は制御システム２６のようなマイクロプロセッサベース電子制御事例におけるコンピュータ可読記憶媒体上の命令実行のためのプログラムされたソフトウエアルーチン又は命令によって、実行することができる。
【００２３】
アルゴリズム４８Ａは車両運転者の生体計測マーカを検出しかつ処理する方法１００を提供する。ステップ（工程）１０２では、車両運転者の一つ又は複数の生体計測マーカを検出できる。この検出は運転者センサ３２及び／又は個人用電子デバイス７０を用いて実行できる。この検出された一つ又は複数の生体計測マーカは制御システム２６に通信できる。ステップ１０４では、この検出された一つ又は複数の生体計測マーカは解釈及び／又は解析できる。たとえば、一つ又は複数の生体計測マーカは、一つ又は複数の予め定められたパラメータと比較できる。この代わりに又は付加的に、一つ又は複数の生体計測マーカは解析されて、運転者の健康及び／又は運転者の覚醒度レベルを決定できる。
【００２４】
生体計測マーカの解析に応答して、生体計測情報をステップ１０６にて表示できる。生体計測マーカシステム２２は生体計測情報をディスプレイ５０に表示するように動作する。たとえば、生体計測マーカは、インフォテイメント目的用フォーマット、運転者健康をモニタするフォーマットにおいて健康情報として、及び／又は、一つ又は複数の生体計測マーカが実質的に変化し又は所定パラメータもしくは正常値外となったときに、警報として表示できる。生体計測マーカシステム２２は、少なくとも部分的に運転者を運転体験に関心を持たせ及び／又は集中させ、及び／又は健康状態を運転者に知らせるように機能する。
【００２５】
さらに、健康情報を車の横窓５８（図２）に表示することによって、運転者は、走行前又は走行後に、健康情報を迅速に提供される。このように、運転者は車両２０に乗り込む前でも健康状況を知らされることができ、また、潜在的に最適でない生理学的又は／他のパラメータに対して警報がされ、この結果、運転者はより休息をとるまで又は生体計測マーカが所定パラメータ範囲内になるまで運行を遅らせることを決定できる。
【００２６】
図４を参照すると、開示された非限定的な他の実施例において、生体計測マーカシステム２２の動作のためのアルゴリズム４８Ｂが概略的に示されている。アルゴリズム４８Ｂの機能は機能的ブロック図によって示されており、これらの機能は、専用ハードウエア回路又はプログラムされたソフトウエアルーチンの何れかによって、あるいは、制御システム２６のようなマイクロプロセッサベース電子制御事例における命令としての実行のための、コンピュータ可読記憶媒体上の命令として、実行されることを認識する必要がある。
【００２７】
このアルゴリズムは、車両後部座席内の生体計測マーカを検出し、かつ処理する方法２００を提供する。ステップ２０２では、後部座席内の一つ又は複数の生体計測マーカを検出できる。この検出はセンサシステム２４の生体計測センサ３０を用いて実行できる。この検出された一つ又は複数の生体計測マーカは、制御システム２６に通信できる。ステップ２０４では、この検出された一つ又は複数の生体計測マーカは解釈及び／又は解析できる。たとえば、一つ又は複数の生体計測マーカは一つ又は複数の予め定められたパラメータと比較できる。この代わりに又は付加的に、一つ又は複数の生体計測マーカは解析され、運転者が車両２０の外に退出した後に、子供、ペット又は運転者以外の搭乗者の存在を決定できる。車両内の運転者の不存在は、運転席の重量又は圧力センサ、近接センサ、個人用電子デバイス７０の位置及び／又は他の方法によって決定できる。
【００２８】
さらに、生体計測マーカは解析されて運転者でない搭乗者の状況を決定できる。たとえば、生体計測マーカシステム２２を利用して、運転者ではない搭乗者の心拍数、体温、体動、呼吸、発汗、会話又は音声パターン、及び／又は、運転者ではない搭乗者の状態又は状況（例えば、健康状況）を決定するための、運転者ではない搭乗者のその他の因子、を決定することができる。
【００２９】
解析された生体計測マーカを受信することに応答して、生体計測マーカシステム２２は通信システム２８を介して警報を運転者の個人用電子デバイス７０に通信するように動作する（ステップ２０６）。開示された非限定的な一つの実施例において、生体計測マーカシステムは一つ又は複数の警報を個人用電子デバイス７０に発生させることができる。この一つ又は複数の警報は、車両室内の可聴警報２０８及び／又はイメージ（たとえば写真２１０）を含むことができる。さらに、運転者からの応答がないとき、ステップ２１２にて生体計測マーカシステム２２は他の個人又はエンティティ（たとえば緊急対応要員６６）に警報を直接送る。つまり、種々のレベル及び／又はシーケンスの警報が、生体計測マーカの解析に応じて発生できるという事である。たとえば、搭乗者の危機的に高い温度の判定は、緊急対応要員６６に対して直接通信することとなる。ある構成においては、生体計測マーカシステム２２はディスプレイ５０に警報を提示することができる。
【００３０】
さらに、ここに記載された構成は、コンピュータ可読プログラムが組込まれたつまり記憶された一つ又は複数のコンピュータ可読媒体に組込まれた、コンピュータプログラム製品の形をとることができる。
【００３１】
一つ又は複数のコンピュータ可読媒体のいかなる組合せも用いることができる。コンピュータ可読媒体は、コンピュータ可読信号媒体又はコンピュータ可読記録媒体であり得る。語句「コンピュータ可読記憶媒体」は、非一時的な（ｎｏｎ−ｔｒａｎｓｉｔｏｒｙ）記憶媒体を意味する。コンピュータ可読記憶媒体は、たとえば、電子的であり、磁気的であり、光学的であり、電磁気的であり、赤外的であり、あるいは半導体システム、装置又はデバイス、又はこれらの適切な組合せであるが、これらに限定されない。さらに、コンピュータ可読記憶媒体の例（非包括的リスト）は以下のものを含む。一つ又は複数のワイヤを有する電気的接続、ポータブルコンピュータディスケット、ハードディスクドライブ（ＨＤＤ）、ソリッドステートドライブ（ＳＳＤ）、ランダムアクセスメモリ（ＲＡＭ）、リードオンリメモリ（ＲＯＭ）、消去可能プログラマブルリードオンリメモリ（ＥＰＲＯＭ又はフラッシュメモリ）、光ファイバ、ポータブルコンパクトディスクリードオンリメモリ（ＣＤ−ＲＯＭ）、ディジタルバーサタイルディスク（ＤＶＤ）、光ストレージデバイス、磁気ストージデバイス、又はこれらの適当な組合せである。この明細書及び特許請求の範囲においては、コンピュータ可読記憶媒体は命令実行システム、装置又はデバイスに関して使用されるプログラムを含む又は記憶する有形媒体でもよい。
【００３２】
コンピュータ可読媒体上に組込まれたプログラムコードは、無線、有線、光ファイバ、ケーブル、ＲＦ等又はこれらの適当な組合せを含むがこれに限定されない、適切な媒体を用いて送信できる。本構成の一局面の動作を実行するためのコンピュータプログラムコードは、Ｊａｖａ（登録商標）、Ｓｍａｌｌｔａｌｋ、Ｃ＋＋等のオブジェクト指向言語、および“Ｃ”プログラミング言語又は類似のプログラミング言語のような通常の手続プログラミング言語を含む、一つ又は複数のプログラミング言語の全ての組合せにおいて記述することができる。プログラムコードは、ユーザのコンピュータ上で完全に実行されても良く、自立型ソフトウェアパッケージとしてのユーザコンピュータ上で部分的に実行されてもよく、ユーザのコンピュータ上で部分的に且つ遠隔コンピュータ上で部分的に実行されても良く、又は遠隔コンピュータあるいはサーバ上で完全に実行されても良い。後者のシナリオでは、遠隔コンピュータはローカルエリアネットワーク（ＬＡＮ）あるいはワイドエリアネットワーク（ＷＡＮ）を含むすべてのタイプのネットワークを介してユーザコンピュータに接続することができ、又は接続を外部コンピュータ（たとえば、インターネットサービスプロバイダを用いたインタータネットを介して）によって行うこともできる。
【００３３】
本記載の内容における（特に、特許請求の範囲の内容における）「一つ（ａ）」、「その（ｔｈｅ）」及び類似した参照番号は、特に指示しない限り又は本内容に反しない限り、単数及び複数の両方を含むように考慮すべきである。数量に関して用いられている修飾語「約」はその記載された値を含み、文脈によって指示された意味を有する（たとえば、特別の数量の計測に伴う誤差率を含む）。本記載に開示された全ての範囲は、終点を含み、また、その終点は独立に互いに組合せることができる。
【００３４】
異なる非限定的な実施例は、特別に図示されたコンポーネントを有するが、ここで示された実施例はこれらの特別の組合せに限定されない。いかなる非限定的な実施例からのコンポーネント及び特徴を他のいかなる非限定的な実施例からのコンポーネント及び特徴と組合せて用いることができる。
【００３５】
類似の参照番号は、いくつかの図面を通して、対応する又は類似の要素を識別することに注意すべきである。また、特別のコンポーネント構造が図示の実施例に開示されているが、他の構成でも有効である。
【００３６】
特別のステップシーケンスが示され、記述され及び請求の範囲に記載されているが、これらのステップは他に指示しない限り、いかなる順序、分離又は組合せでも実行できることを理解すべきである。
【００３７】
上述の記載はこの記載内の限定によって規定されるというよりも例示である。種々の非限定的な実施例がここに開示されているが、当業者であれば上述の教示に鑑みた種々の変更及び修正は特許請求の範囲の請求項内にあることを認識するであろう。従って、上述した以外の開示も特許請求の範囲内で行われることに注意すべきである。このような理由により特許請求の範囲の請求項は熱読されて、真の範囲及び内容を決定すべきである。
本開示は以下を含む。
［構成１］
コンピュータ可読命令を組込んだコンピュータ記憶媒体であって、該コンピュータ可読命令が実行されたとき、
車両の運転者の生体計測マーカを検出し、
前記生体計測マーカに伴うデータを前記車両のウィンドウに表示すること、を備える方法を実行する、コンピュータ記憶媒体。
［構成２］
構成１に記載のコンピュータ記憶媒体であって、前記生体計測マーカは運転者警報を伴う、コンピュータ記憶媒体。
［構成３］
構成１に記載のコンピュータ記憶媒体であって、前記生体計測マーカは心拍数を含む、コンピュータ記憶媒体。
［構成４］
構成１に記載のコンピュータ記憶媒体であって、前記生体計測マーカは体温を含む、コンピュータ記憶媒体。
［構成５］
構成１に記載のコンピュータ記憶媒体であって、前記生体計測マーカはまぶた開閉回数である、コンピュータ記憶媒体。
［構成６］
構成１に記載のコンピュータ記憶媒体であって、前記検出は運転者の個人用電子デバイスを介して実行される、コンピュータ記憶媒体。
［構成７］
構成１に記載のコンピュータ記憶媒体であって、前記検出は運転者センサを介して実行される、コンピュータ記憶媒体。
［構成８］
構成７に記載のコンピュータ記憶媒体であって、前記運転者センサは前記車両内に位置する、コンピュータ記憶媒体。
［構成９］
構成７に記載のコンピュータ記憶媒体であって、前記運転者センサは前記車両外に位置する、コンピュータ記憶媒体。
［構成１０］
構成１に記載のコンピュータ記憶媒体であって、前記検出は可聴警報を発生することを含む、コンピュータ記憶媒体。
［構成１１］
コンピュータ可読命令を組込んだコンピュータ記憶媒体であって、該コンピュータ可読命令が実行されたとき、
車両内の生体計測マーカを検出し、
前記生体計測マーカに伴うデータを表示のために前記車両外の個人用電子デバイスに送信すること、を備える方法を実行する、コンピュータ記憶媒体。
［構成１２］
構成１１に記載のコンピュータ記憶媒体であって、前記生体計測マーカに伴うデータは、運転者が前記車両から退出した後の、前記車両の搭乗者に伴うデータを含む、コンピュータ記憶媒体。
［構成１３］
構成１２に記載のコンピュータ記憶媒体であって、前記搭乗者は子供である、コンピュータ記憶媒体。
［構成１４］
構成１２に記載のコンピュータ記憶媒体であって、前記搭乗者はペットである、コンピュータ記憶媒体。
［構成１５］
構成１２に記載のコンピュータ記憶媒体であって、前記車両外の前記個人用電子デバイス上に前記生体計測マーカに伴うデータを表示することは、前記個人用電子デバイスに命令して可聴警報を発生させることを含む、コンピュータ記憶媒体。
［構成１６］
構成１２に記載のコンピュータ記憶媒体であって、前記車両外の前記個人用電子デバイス上に前記生体計測マーカに伴うデータを表示することは、前記個人用電子デバイス上にイメージを通信することを含む、コンピュータ記憶媒体。
［構成１７］
構成１１に記載のコンピュータ記憶媒体であって、前記方法はさらに、前記検出に応答して緊急対応要員と通信することを備える、コンピュータ記憶媒体。
［構成１８］
コンピュータ可読命令を組込んだコンピュータ記憶媒体であって、該コンピュータ可読命令が実行されたとき、
運転者が車両外に退出したことを検出し、
前記運転者が車両外に退出したことを検出した後に前記車両内の生体計測マーカを検出し、
前記生体計測マーカに伴うデータを個人用電子デバイス上に表示すること、を備える方法を実行する、コンピュータ記憶媒体。
［構成１９］
構成１８に記載のコンピュータ記憶媒体であって、前記個人用電子デバイス上に前記生体計測マーカに伴うデータを表示することは、前記個人用電子デバイスに命令して可聴警報を発生させることを含む、コンピュータ記憶媒体。
［構成２０］
構成１８に記載のコンピュータ記憶媒体であって、前記個人用電子デバイス上に前記生体計測マーカに伴うデータを表示することは、前記車両の内部視界イメージを表示することを含む、コンピュータ記憶媒体。
【符号の説明】
【００３８】
２０    車両
２２    生体計測マーカシステム
２４    センサシステム
２６    制御システム
２８    通信システム
３０    生体計測センサ
３２    運転者センサ
４０    制御モジュール
４２    プロセッサ
４４    メモリ
４６    インターフェイス
５０    ディスプレイ
５２    インターフェイス
５４    プロジェクタ
５６    コーティング
５８    車両ウィンドウ
６０    無線通信システム
６２    オフボードシステム
６６    緊急対応要員
６８    連絡先
７０    個人用電子デバイス
４８Ａ、４８Ｂ    アルゴリズム
１００、２００    方法
【図１】
0006449734.tif 000002
【図２】
0006449734.tif 000003
【図３】
0006449734.tif 000004
【図４】
0006449734.tif 000005